(57)【要約】      （修正有）【課題】飾り物の袋体への取り付け作業および包装作業が簡易である飾り付け具、およびこれが適用された包装袋を提供する。【解決手段】飾り付け具１０は、山折りの取付片１２と、該取付片１２の表面に固定された飾り物１４と、前記取付片の裏面に該取付片の折り目を跨いで取り付けられた両面テープ１６とを含み、前記飾り物１４は、前記取付片１２の一端部に設けられた固定部に固定されている。また、包装袋は、前記飾り付け具１０と、開口部の縁を重ね合わせて閉じられる袋体とを含み、前記飾り付け具１０は、重合された前記開口部の縁を挟むように前記袋体に配置され、前記両面テープにより前記袋体に固定されている。【選択図】図１
0003142446.tif 000002
【実用新案登録請求の範囲】
【請求項１】
山折りの取付片と、該取付片の表面に固定された飾り物と、前記取付片の裏面に該取付片の折り目を跨いで取り付けられた粘着テープとを含み、
前記飾り物は、前記取付片の一端部に設けられた固定部に固定されている、飾り付け具。
【請求項２】
前記固定部は、前記折り目と直交する方向に並んだ２つの穴を有する、請求項１に記載の飾り付け具。
【請求項３】
前記飾り物は、蝶結びされたリボンである、請求項１もしくは２に記載の飾り付け具。
【請求項４】
請求項１から３のいずれか１項に記載の飾り付け具と、開口部の縁を重ね合わせて閉じられる袋体とを含み、
前記飾り付け具は、重合された前記開口部の縁を挟むように前記袋体に配置され、前記粘着テープにより前記袋体に固定されている包装袋。
【考案の詳細な説明】
【技術分野】
【０００１】
本考案は、商品を収容する袋体をリボンやフラワーで装飾するために用いられる飾り付け具およびこれが適用された包装袋に関する。
【背景技術】
【０００２】
従来、商品を包む袋体を装飾するための飾り付け具として、例えば特許文献１に開示されている、接着テープを備えたリボンが知られている。かかるリボンは、商品の包装袋にリボン片を巻き付ける必要がなく、接着テープで貼り付けるのみで装飾が完了するので、作業が簡便であるという利点を有している。
【０００３】
【特許文献１】実開昭６２−１７１４６０号公報
【０００４】
しかしながら、このようなリボンは、包装作業が繁雑であるという欠点を有している。すなわち、前述のリボンは、袋体を装飾する機能しか有していないため、実際に商品を包装する作業としては、袋体自体の口をホチキスやテープで閉じる作業が別途必要となる。
【考案の開示】
【考案が解決しようとする課題】
【０００５】
そこで、本考案は上記欠点を除去するとともに取り付け作業が簡易である飾り付け具およびこれが適用された包装袋を提供することを目的とする。
【課題を解決するための手段】
【０００６】
本考案に係る飾り付け具は、山折りの取付片と、該取付片の表面に固定された飾り物と、前記取付片の裏面に該取付片の折り目を跨いで取り付けられた粘着テープとを含み、前記飾り物は、前記取付片の一端部に設けられた固定部に固定されている。
【０００７】
前記固定部は、前記折り目と直交する方向に並んだ２つの穴を有するとすることができる。
【０００８】
前記飾り物は、蝶結びされたリボンであるとすることができる。
【０００９】
また、本考案に係る包装袋は、飾り付け具と、開口部の縁を重ね合わせて閉じられる袋体とを含み、前記飾り付け具は、重合された前記開口部の縁を挟むように前記袋体に配置され、前記粘着テープにより前記袋体に固定されている。
【考案の効果】
【００１０】
本考案に係る飾り付け具よれば、飾り物を備えた取付片の裏面に粘着テープが設けられているので、取付片を袋体に押圧して貼り付けるだけで装飾が完了し、装飾作業が簡便である。
【００１１】
また、本考案に係る包装袋によれば、飾り付け具は、袋体の重合された開口部の縁を挟むように袋体に配置されるため、飾り付け具の袋体への装飾と同時に、袋体の口を閉じることができる。すなわち、従来のものと比べ、包装作業も簡便である。
【考案を実施するための最良の形態】
【００１２】
以下、本考案の実施例を図面を参照して詳細に説明する。本明細書において「山折り」とは、紙を折るさいに、折り目が山状に出っ張るように折る折り方を意味し、「表面」とは、折り目に沿って２つに山折りしたときの外側に位置する面を意味し、「裏面」とは、折り目に沿って２つに山折りしたときの内側に位置する面を意味する。
【実施例】
【００１３】
図１は本考案に係る飾り付け具の斜視図、図２は図１に示した飾り付け具の分解斜視図である。
【００１４】
飾り付け具１０は、２つに山折りした取付片１２と、飾り物１４と、粘着テープ１６とからなる。
【００１５】
取付片１２は、長方形の厚い繊維材や合成樹脂材からなり、２つに山折りされている。折り目が形成される繊維材や合成樹脂材の表面には、折り曲げられた状態を維持しやすくするために、浅い切り込みを入れておくことが好ましい。
【００１６】
また、図２に示されるように、取付片１２の一端部には、前記取付片の表面に飾り物１４を固定するための穴１８が、折り目２０と直交する方向に２つ設けられており、固定部２２を構成している。固定部は、飾り物を取付片に固定する周知の手段で構成することができ、たとえば穴１８を設けずに、両面テープを取付片に付着させて構成してもよい。
【００１７】
飾り物１４は、取付片の穴１８に通された１本のリボン片２４を蝶結びして形成される。リボン片２４は合成繊維の織物、ゴムひも、弾力性に富むプラスチックテープ、弾力性に富む紙テープ等からなる。リボン片２４の長さや幅寸法は任意に定めることができる。すなわち、蝶結びを構成するループ部の大きさや垂れ部の長さ寸法を所望のものに設定し、これにより、飾り物１４の見映えを変えることが可能である。
【００１８】
飾り物１４は、装飾機能があるものを任意に選択でき、蝶結びのリボン片に代えて、例えば造花としてもよい。
【００１９】
粘着両面テープ１６は、図３に示されるように、取付片の裏面に折り目を跨いで取り付けられている。袋体２６からリボンが剥がれ落ちるのを防ぐために、粘着テープは取付片の裏面に広範囲にわたり存在することが好ましい。
【００２０】
図４は、上で説明した飾り付け具を袋体２６に適用した包装袋２８の斜視図、側面図、および背面図である。
【００２１】
袋体２６は、少なくとも底壁と周壁とを有し、端部に開口部を形成している。開口部は、その縁を重ね合わせることにより閉じられる。上で説明した飾り付け具１０を袋体２６に取り付けるには、まず袋体の前記開口部の縁を重ね合わせ、袋体の口を閉じる。次に、この重合された開口部の縁を挟むように前記飾り付け具を配置させ、該飾り付け具の両面テープ１６を前記開口部の表面に押圧することにより飾り付け具が袋体に取り付けられる。
【００２２】
この作業により、袋体への飾り付け具の取り付け、すなわち装飾作業が完了し、同時に、袋体の口も閉じられる。
【００２３】
このように、本考案に係る飾り付け具によれば、取付片を袋体に押圧して貼り付けるだけで装飾が完了するので装飾作業が簡便である。また、同時に袋体の口が閉まるので、従来口を閉じるためになしていた、ホチキスやテープで口を閉じる作業が不要となる。
【００２４】
さらに、袋体の端部という人目をひく位置に装飾物が配置されるので、装飾袋が華やかになる。
【００２５】
以上、本考案の飾り付け具およびこれが適用された包装袋について、その実施例に基づき説明したが、本考案は上記実施例に記載した構成に限定されるものでなく、その趣旨を逸脱しない範囲において適宜その構成を変更できるものである。
【図面の簡単な説明】
【００２６】
【図１】本考案に係る飾り付け具を示す斜視図。
【図２】図１に示した飾り付け具の分解斜視図。
【図３】図１に示した飾り付け具における取付片の底面図。
【図４】本考案に係る包装袋を示す斜視図（Ａ）、側面図（Ｂ）および背面図（Ｃ）。
【符号の説明】
【００２７】
１０          飾り付け具
１２          取付片
１４          飾り物
１６          両面テープ
１８          穴
２０          折り目
２２          固定部
２４          リボン片
２６          袋体
２８          包装袋
【図１】
0003142446.tif 000003
【図２】
0003142446.tif 000004
【図３】
0003142446.tif 000005
【図４】
0003142446.tif 000006